(57)【要約】【課題】製造コストを抑制しつつ高さ調節可能として水平材を折板屋根に固定することのできるバルコニー取付構造を提供する。【解決手段】断面形状が波形状の折板屋根１１の複数の長尺な頂部２１に跨ってバルコニー１２の床部１３を受ける水平材（１８）が配置され、水平材が折板屋根１１に固定具３０で固定され、固定具３０は、水平材を支持する支持部４０と、支持部４０を折板屋根１１に固定する固定部５０と、を備えるバルコニー取付構造１０である。支持部４０は、水平材に幅方向で宛がわれる２つの側片４１と、２つの側片４１を差し渡しつつ水平材が載せられる底片４２と、一方の側片４１の上端から外側へと伸びて固定部５０に連結される連結片４４と、を有し、水平材と底片４２との間に水平材に沿って伸びる長尺な複数の板状部材３１を介在させることが可能である。【選択図】図１
2019056269.tif 000002
【特許請求の範囲】
【請求項１】
断面形状が波形状の折板屋根の複数の長尺な頂部に跨ってバルコニーの床部を受ける水平材が配置され、
前記水平材が前記折板屋根に固定具で固定され、
前記固定具は、前記水平材を支持する支持部と、前記支持部を前記折板屋根に固定する固定部と、を備え、
前記支持部は、前記水平材に幅方向で宛がわれる２つの側片と、２つの前記側片を差し渡しつつ前記水平材が載せられる底片と、一方の前記側片の上端から外側へと伸びて前記固定部に連結される連結片と、を有し、前記水平材と前記底片との間に前記水平材に沿って伸びる長尺な複数の板状部材を介在させることが可能であることを特徴とするバルコニー取付構造。
【請求項２】
前記底片では、前記板状部材が載せられる底面に前記水平材の長尺方向に沿って伸びる底面溝が設けられ、
前記板状部材では、前記底面に対向する下面に前記底面溝に嵌め入れ可能な下面突起と、前記下面とは反対側の上面に前記下面突起の嵌め入れが可能な上面溝と、が設けられていることを特徴とする請求項１に記載のバルコニー取付構造。
【請求項３】
前記水平材における前記固定具が設けられていない箇所と前記折板屋根との間では、前記水平材の側面に宛がわれる側壁部と、前記水平材を下方から支える底盤部と、を有する支持具が前記水平材に取り付けられていることを特徴とする請求項１または請求項２に記載のバルコニー取付構造。
【請求項４】
前記固定部は、前記頂部を挟んで前記折板屋根に固定される支持金具を有することを特徴とする請求項１から請求項３までのいずれか１項に記載のバルコニー取付構造。
【請求項５】
前記支持部は、緩衝部材を介して前記頂部に載せられていることを特徴とする請求項１から請求項４までのいずれか１項に記載のバルコニー取付構造。
【請求項６】
前記板状部材は、複数の前記頂部の間を跨る長さとされていることを特徴とする請求項１から請求項５までのいずれか１項に記載のバルコニー取付構造。
【請求項７】
請求項１から請求項６までのいずれか１項に記載のバルコニー取付構造により、前記バルコニーが前記折板屋根に取り付けられていることを特徴とする建物。
【発明の詳細な説明】
【技術分野】
【０００１】
本開示は、折板屋根にバルコニーを取り付けるバルコニー取付構造、それによりバルコニーが折板屋根に取り付けられた建物に関する。
【背景技術】
【０００２】
従来、折板屋根にバルコニーを取り付けるためのバルコニー取付構造が知られている（特許文献１、２参照）。特許文献１のバルコニー取付構造は、バルコニーの床部を受ける水平材としての縁フレームまたは根太を折板屋根に固定具で固定するとともに、固定されていない水平材と折板屋根との間にスペーサを設けている。特許文献１のバルコニー取付構造は、スペーサが適切な枚数のサブスペーサを載せることで水平材の高さ調節することができ、折板屋根の傾斜に対応しつつバルコニーの床部の強度を確保できる。
【０００３】
また、特許文献２のバルコニー取付構造は、Ｕ字形状とされて根太を受ける受部が、一対の垂下片が設けられた基片に固定された根太受け金具を用いるものとされている。特許文献２のバルコニー取付構造は、Ｕ字形状とされた受部で適宜調整板を介して根太を受けつつ一対の垂下片を屋根葺材の突条に嵌めることで、根太の取付高さを調整しつつ屋根葺材に水平材を固定できる。
【先行技術文献】
【特許文献】
【０００４】
【特許文献１】特開平０９−３０２７６８号公報
【特許文献２】実開昭６１−０８０９０１号公報
【発明の概要】
【発明が解決しようとする課題】
【０００５】
しかしながら、特許文献１のバルコニー取付構造は、スペーサが折板屋根に固定されていないので、バルコニーを折板屋根から浮かすような力が作用すると、スペーサとサブスペーサとの間やサブスペーサ同士の間が広がりサブスペーサがずれる虞がある。また、特許文献１のバルコニー取付構造は、固定具が断面Ｌ字状とされて水平材に固定される固定板を固定手段で折板屋根に固定するものなので、水平材の高さ調節することができない。
【０００６】
そして、特許文献２のバルコニー取付構造は、突条に嵌まる一対の垂下片が基片の両側縁に設けられ、その基片の上に受部を設ける構成であるので、専用品としての根太受け金具を形成する必要があり、製造コストの増加を招いてしまう。
【０００７】
本開示は、上記の事情に鑑みて為されたもので、製造コストを抑制しつつ高さ調節可能として水平材を折板屋根に固定することのできるバルコニー取付構造を提供することを目的とする。
【課題を解決するための手段】
【０００８】
上記した目的を達成するために、本開示のバルコニー取付構造は、断面形状が波形状の折板屋根の複数の長尺な頂部に跨ってバルコニーの床部を受ける水平材が配置され、前記水平材が前記折板屋根に固定具で固定され、前記固定具は、前記水平材を支持する支持部と、前記支持部を前記折板屋根に固定する固定部と、を備え、前記支持部は、前記水平材に幅方向で宛がわれる２つの側片と、２つの前記側片を差し渡しつつ前記水平材が載せられる底片と、一方の前記側片の上端から外側へと伸びて前記固定部に連結される連結片と、を有し、前記水平材と前記底片との間に前記水平材に沿って伸びる長尺な複数の板状部材を介在させることが可能であることを特徴とする。
【０００９】
ここで、前記底片では、前記板状部材が載せられる底面に前記水平材の長尺方向に沿って伸びる底面溝が設けられ、前記板状部材では、前記底面に対向する下面に前記底面溝に嵌め入れ可能な下面突起と、前記下面とは反対側の上面に前記下面突起の嵌め入れが可能な上面溝と、が設けられている構成とすることができる。また、前記水平材における前記固定具が設けられていない箇所と前記折板屋根との間では、前記水平材の側面に宛がわれる側壁部と、前記水平材を下方から支える底盤部と、を有する支持具が前記水平材に取り付けられている構成とすることができる。
【００１０】
前記固定部は、前記頂部を挟んで前記折板屋根に固定される支持金具を有する構成としてもよい。前記支持部は、緩衝部材を介して前記頂部に載せられている構成とすることができる。前記板状部材は、複数の前記頂部の間を跨る長さとされている構成とすることができる。上記したバルコニー取付構造により、バルコニーが折板屋根に取り付けられた建物とすることができる。
【発明の効果】
【００１１】
このように構成された本開示のバルコニー取付構造は、製造コストを抑制しつつ高さ調節可能として水平材を折板屋根に固定することができる。
【００１２】
ここで、前記底片では、前記板状部材が載せられる底面に前記水平材の長尺方向に沿って伸びる底面溝が設けられ、前記板状部材では、前記底面に対向する下面に前記底面溝に嵌め入れ可能な下面突起と、前記下面とは反対側の上面に前記下面突起の嵌め入れが可能な上面溝と、が設けられている構成であれば、支持部の底片に対して板状部材がずれることや、重ねられた板状部材同士がずれることをより適切に抑制できる。また、前記水平材における前記固定具が設けられていない箇所と前記折板屋根との間では、前記水平材の側面に宛がわれる側壁部と、前記水平材を下方から支える底盤部と、を有する支持具が前記水平材に取り付けられている構成であれば、固定具が設けられていない位置であっても水平材を補強することができ、水平材の下に板状部材が重ねられている場合には支持具が水平材と板状部材とを一体とできる。
【００１３】
前記固定部は、前記頂部を挟んで前記折板屋根に固定される支持金具を有する構成であれば、簡易な構成で適切に固定部を折板屋根に固定できる。前記支持部は、緩衝部材を介して前記頂部に載せられている構成であれば、水平材を介するバルコニーの荷重により支持部が折板屋根（その頂部）に押し付けられることに起因して、折板屋根（頂部）を傷付けることを適切に抑制できる。前記板状部材は、複数の前記頂部の間を跨る長さとされている構成であれば、各固定具による水平材の高さ調節量を等しくでき、高さ調節を容易なものにできる。上記したバルコニー取付構造により、バルコニーが折板屋根に取り付けられた建物であれば、簡易にかつ適切にバルコニーが折板屋根に設けられている。
【図面の簡単な説明】
【００１４】
【図１】本開示に係るバルコニー取付構造の一実施形態に係る一例としてのバルコニー取付構造を模式的に示す断面図である。
【図２】固定具の各構成を分解して示す模式的な斜視図である。
【図３】固定具を折板屋根に固定し、そこに板状部材および根太が嵌め入れられる様子を示す斜視図である。
【図４】固定具により高さ調節されて根太が折板屋根に固定された様子を示す斜視図である。
【図５】固定具により高さ調節されて固定された根太が設けられた折板屋根を示す斜視図である。
【発明を実施するための形態】
【００１５】
以下に、本開示に係るバルコニー取付構造の一例としての実施例１のバルコニー取付構造１０について図面を参照しつつ説明する。
【実施例１】
【００１６】
本開示に係るバルコニー取付構造の一実施形態に係る実施例１のバルコニー取付構造１０を、図１から図５を用いて説明する。バルコニー取付構造１０は、建物１に設けられた折板屋根１１にバルコニー１２を取り付けるものである。
【００１７】
バルコニー１２は、折板屋根１１の上方で水平に拡がる床部１３（デッキ）と、床部１３の側縁に沿って設けられた手摺部材１４と、を有する。床部１３は、折板屋根１１の後述する各頂部２１を跨る水平材としての床フレーム１５が床板材１６を支持している。床フレーム１５は、床部１３の外縁を形成する枠材としての縁フレーム１７（図１では両端の対向する２つの縁フレーム１７のみ図示）と、対向する２つの縁フレーム１７と並列された複数の根太１８（図１では２つ）と、を有する。
【００１８】
折板屋根１１は、所定のピッチで複数の頂部２１が並列されて設けられた平板状の屋根である（図５等参照）。折板屋根１１は、例えば、ポリ塩化ビニル被覆鋼板が、断面が波形状となるように折り曲げられて形成され、その折り曲げられた山形が頂部２１になる。折板屋根１１の下側には、それを支持する屋根フレームや天井が設けられている。頂部２１では、実施例１では、上端近傍と比較してその下方の幅寸法（頂部２１が伸びる方向と直交する幅方向の寸法）が部分的に小さくされた括れ２２が設けられている。
【００１９】
実施例１のバルコニー取付構造１０は、床フレーム１５（水平材）の根太１８を、固定具３０を用いて頂部２１に固定することで、折板屋根１１にバルコニー１２を取り付ける。固定具３０は、図２に示すように、根太１８を支持する支持部４０と、その支持部４０を折板屋根１１に固定する固定部５０と、を備える。
【００２０】
支持部４０は、板状の金属材料がＵ字形状に折り曲げられて構成され、所定の間隔を置いて並列された一対の側片４１と、両側片４１と直交しつつ両側片４１の下端を差し渡す底片４２と、を有する。支持部４０は、Ｕ字形状の内方に根太１８や後述する板状部材３１を嵌め入れる、すなわち根太１８の側面１８ａや板状部材３１の両側面３１ａに両側片４１（その内側面）を宛がいつつ根太１８や板状部材３１を底片４２上に載せることが可能とされている（図３等参照）。底片４２には、根太１８や板状部材３１が載せられる底面４２ａに、その根太１８の長尺方向に沿って伸びる底面溝４３が設けられている。底面溝４３は、伸びる方向に直交する断面の形状がＶ字形状とされている。
【００２１】
支持部４０では、一方の側片４１の上端から外側へと伸びる板状の連結片４４が設けられている。連結片４４は、支持部４０における固定部５０への連結箇所となるもので、Ｕ字形状に折り曲げられた板状の金属材料の一端が折り曲げられて形成されている。連結片４４には、一対の連結穴４５が設けられている。
【００２２】
固定部５０は、折板屋根１１の頂部２１に取り付けられる一対の支持金具５１と、両支持金具５１に挟まれる連結金具５２と、両支持金具５１と連結金具５２を締結する締結部５３と、を備える。両支持金具５１は、頂部２１を幅方向で挟んで設けられるもので、金属材料が折り曲げられて形成され、頂部２１の幅方向の中心を通る鉛直面に関して対称な形状とされている。両支持金具５１は、それぞれが支持箇所５４と、そこから上方に伸びる締結箇所５５と、を有する。各支持箇所５４は、括れ２２を含めた頂部２１の側面の形状に倣って湾曲されており、頂部２１の両側面にそれぞれを宛がうことで、括れ２２に引っ掛かって抜け落ちることが防止された状態で頂部２１を挟むことができる。各締結箇所５５は、平板状とされ、それぞれに締結穴５６が設けられている。
【００２３】
連結金具５２は、両支持金具５１の締結箇所５５の間に設けられるもので、板状の金属材料がＬ字形状に折り曲げられて構成され、締結箇所５７と、そこに直交する連結箇所５８と、を有する。締結箇所５７は、両締結箇所５５に挟まれた状態でそれらと締結される箇所であり、締結穴５９が設けられている。連結箇所５８は、支持部４０の連結片４４に連結される箇所であり、一対の連結穴６１が設けられている。
【００２４】
締結部５３は、両支持金具５１の締結穴５６と連結金具５２の締結穴５９とに挿通されるボルト６２と、そのボルト６２に嵌められるナット６３と、ナット６３の内側でボルト６２に通されるバネ座金６４と、を有する。
【００２５】
実施例１のバルコニー取付構造１０は、図３に示すように、折板屋根１１上での固定具３０により根太１８を固定支持する高さ位置の調節のために、複数の板状部材３１が用いられる。各板状部材３１は、長尺な板状とされており、幅方向（板状部材３１の長尺方向に直交する方向）の大きさが根太１８と略等しいものとされている。各板状部材３１は、板状部材３１が複数の頂部２１の間を跨る長さとされており、実施例１では根太１８と略等しい長さとされている。各板状部材３１は、実施例１ではアルミ材料から押し出し成型されて形成される。各板状部材３１は、長尺方向の位置に係わらず部分的に、固定具３０の支持部４０の両側片４１に側面３１ａを宛がいつつ底片４２（その底面４２ａ）上に載せることが可能な形状とされている。各板状部材３１では、底面４２ａに対向する下面３１ｂに下面突起３２が設けられ、下面３１ｂとは反対側の上面３１ｃに上面溝３３が設けられている。下面突起３２は、伸びる方向に直交する断面の形状がＶ字形状とされて、支持部４０の底片４２の底面４２ａに設けられた底面溝４３に嵌め入れ可能とされている。下面突起３２は、底面溝４３に嵌め入れられることで、板状部材３１が支持部４０に対して幅方向にずれることを抑制する。上面溝３３は、支持部４０の底片４２の底面溝４３と等しい構成とされており、下面突起３２の嵌め入れが可能とされている。このため、各板状部材３１は、固定具３０の支持部４０に嵌め入れつつ重ねて載せることが可能とされて、互いに幅方向にずれることが抑制されている。固定具３０では、支持部４０に嵌め入れる板状部材３１の枚数を調節することで、根太１８を固定支持する高さ位置の調節することができる。
【００２６】
実施例１のバルコニー取付構造１０は、図４に示すように、根太１８や各板状部材３１のうち、固定具３０により支持されていない箇所に支持具３５を設ける。支持具３５は、折板屋根１１において隣り合う２つの頂部２１に設けられた固定具３０の支持部４０の間隔と略等しい長さ寸法の板状の金属材料がＬ字形状に折り曲げられて構成され、根太１８の側面１８ａに宛がわれる側壁部３６と、その側壁部３６と直交して伸びて根太１８を下方から支える底盤部３７と、を有する。底盤部３７は、根太１８（その底面１８ｂ）を載せること、または根太１８の下に重ねられた板状部材３１を載せること、のできる大きさとされている。側壁部３６は、底盤部３７に重ねて載せられた複数の板状部材３１の上に載せられた根太１８の側面１８ａに宛がうことのできる大きさ（高さ）とされている。底盤部３７は、根太１８（底面１８ｂ）が載せられる底面３７ａに、支持部４０の底片４２の底面溝４３と等しい構成の底面溝３８が設けられている。
【００２７】
次に、バルコニー取付構造の一例としての固定具３０を用いたバルコニー１２の折板屋根１１への取り付けについて説明する。なお、バルコニー取付構造は、以下の説明と取り付けの構造（各部材の関係性）が等しいものであれば、取り付ける順番に関しては以下の説明から適宜入れ替えてもよく、以下の例に限定されない。
【００２８】
固定具３０は、固定部５０において、両支持金具５１の締結箇所５５の間に連結金具５２の締結箇所５７を挟んだ状態で、ボルト６２が、連結金具５２の連結箇所５８が伸びる方向側から、両締結箇所５５の締結穴５６と締結箇所５７の締結穴５９とに通されている。そして、固定部５０は、ボルト６２の先端に、バネ座金６４とナット６３とが嵌められることで、両支持金具５１の支持箇所５４の間隔を調整可能な状態で組み付けられる。連結金具５２の締結箇所５７には、支持部４０の連結片４４が載せられて、連結片４４の両連結穴４５と締結箇所５７の両締結穴５９とがリベット６５によって連結される。これにより、固定具３０は、固定部５０の両支持金具５１が折板屋根１１の頂部２１に取り付け可能な状態で、組み付けられている。この支持部４０の底片４２の裏面４２ｂには、緩衝部材６６が設けられる。この緩衝部材６６は、折板屋根１１の頂部２１に傷がつくのを抑制するために設けられ、実施例１ではシート状のテープ材が用いられて裏面４２ｂに貼り付けられる。
【００２９】
その後、図３に示すように、折板屋根１１の頂部２１に固定部５０の両支持金具５１の支持箇所５４を両側から宛がい、緩衝部材６６を介して支持部４０の底片４２（その裏面４２ｂ）を同じ頂部２１の載せた状態で、ボルト６２に対してナット６３を締め付ける。これにより、固定具３０は、折板屋根１１に固定される。このとき、ナット６３は、連結金具５２の連結箇所５８が伸びる方向とは反対側に位置するので、締め付けの作業が連結箇所５８により阻害されることなく容易なものとされる。この固定具３０は、折板屋根１１の各頂部２１において、バルコニー１２の各根太１８が設けられる位置に支持部４０を対応させるように折板屋根１１の同一の頂部２１上で点在して設けられている（図１、図５では２つ）。このため、各固定具３０は、各頂部２１が伸びる方向で並列されるとともに、各頂部２１が隣り合う方向（頂部２１の幅方向）で並列されて設けられている（図５参照）。
【００３０】
その後、各固定具３０では、等しい高さ位置で根太１８を支持するように、位置に応じた枚数の板状部材３１を支持部４０に嵌め入れる（図３の例では４枚）。このとき、最も下の板状部材３１の下面３１ｂの下面突起３２を支持部４０の底片４２の底面溝４３に嵌め入れ、かつ上側の板状部材３１の下面３１ｂの下面突起３２を下側の板状部材３１の上面３１ｃに上面溝３３に嵌め入れる。この位置に応じた枚数とは、折板屋根１１の傾斜を打ち消すように各固定具３０において最も上に重ねられる根太１８を基準とする高さ位置にするものである。図１に示す例では、左側の固定具３０に４枚の板状部材３１を重ね、右側の固定具３０に３枚の板状部材３１を重ねている。そして、図３に示すように、最も上の板状部材３１の上面３１ｃに、支持部４０の底片４２の裏面４２ｂに設けたものと同様の緩衝部材６６を貼り付ける。
【００３１】
その後、各固定具３０では、根太１８が支持部４０に嵌め入れられて、緩衝部材６６が貼られた最も上の板状部材３１の上に根太１８が載せられる。各固定具３０では、図４に示すように、支持部４０において連結片４４が設けられていない他方の側片４１の外側から複数のビス６７が捩じ込まれることで、側片４１が根太１８の側面１８ａに固定される。また、根太１８では、各固定具３０が設けられていない位置に支持具３５が設けられる。支持具３５は、根太１８の下方に重ねられた板状部材３１の下面３１ｂの下面突起３２を底盤部３７の底面溝３８に嵌め入れつつ、側面１８ａに側壁部３６が宛がわれる。支持具３５は、側壁部３６の外側から複数のビス６７が捩じ込まれることで、側壁部３６が根太１８の側面１８ａに固定されて、底盤部３７が各板状部材３１および根太１８を支える。
【００３２】
これにより、折板屋根１１では、図５に示すように、各頂部２１が伸びる方向と直交する方向に伸びて各根太１８が設けられ、その各根太１８が各頂部２１の伸びる方向に並列されている。各根太１８は、各頂部２１と交差する箇所が各固定具３０により各頂部２１に固定されている。そして、各根太１８は、各固定具３０により各頂部２１と離隔されるすなわち高さ位置が調整されることで、同一の水平面上に位置される。このように、各根太１８が同一の水平面上に位置されることで水平材としての床フレーム１５を水平に設けることができ、折板屋根１１の傾斜に関わらずバルコニー１２を適切に設けることができる。これにより、建物１では、簡易にかつ適切にバルコニー１２が折板屋根１１に設けられる。
【００３３】
ここで、各固定具３０は、支持部４０における一対の側片４１と底片４２とによりＵ字形状とされた箇所から折り曲げられて外側へと伸びる連結片４４と、固定部５０における両支持金具５１の間に設けた連結金具５２と、を連結して構成されている。このため、各固定具３０は、連結片４４に連結できるものであれば、例えば太陽光発電パネルを折板屋根１１（その頂部２１）に固定する一般的な固定部材を固定部５０として用いることができる。これにより、各固定具３０は、連結片４４が設けられた支持部４０を用意すれば、汎用品としての固定部材を連結片４４に連結することで固定部５０とすることができ、製造コストを抑制できる。また、各固定具３０は、汎用品としての固定部材を適宜選択することで、頂部２１の形状が異なる等の様々な種類の折板屋根１１に対応することができ、様々な折板屋根１１に適切に固定することができる。
【００３４】
本開示に係るバルコニー取付構造の一実施例のバルコニー取付構造１０は、以下の各作用効果を得ることができる。
【００３５】
バルコニー取付構造１０は、根太１８が折板屋根１１に固定する固定具３０が、支持部４０において２つの側片４１を幅方向で宛がいつつ底片４２に載せて根太１８を支持しているとともに、その支持部４０を固定部５０で折板屋根１１に固定している。バルコニー取付構造１０では、支持部４０が、根太１８と底片４２との間に根太１８に沿って伸びる長尺な複数の板状部材３１を介在させることが可能である。このため、バルコニー取付構造１０では、介在させる板状部材３１の枚数を調節することで、根太１８の高さ位置を調節しつつ根太１８を折板屋根１１に固定することができる。これにより、バルコニー取付構造１０は、様々な設置角度とされた折板屋根１１に対応して、水平材としての床フレーム１５を水平に設置することができ、根太１８の折板屋根１１への固定により床部１３の強度を確保できる。バルコニー取付構造１０は、バルコニー１２を折板屋根１１から浮かすような力が作用しても、根太１８が折板屋根１１に固定されているので、根太１８と板状部材３１との間隔や板状部材３１同士の間隔が広がることを抑制でき、それらがずれることを抑制できる。加えて、バルコニー取付構造１０は、固定具３０の支持部４０が、２つの側片４１を幅方向で宛がいつつ底片４２に載せて根太１８や各板状部材３１を支持している、すなわちＵ字形状の内方に嵌め入れているので、例え根太１８と板状部材３１との間隔や板状部材３１同士の間隔が広がったとしても、それらがずれることを抑制できる。
【００３６】
また、バルコニー取付構造１０は、支持部４０における一対の側片４１と底片４２とによりＵ字形状とされた箇所から折り曲げられて外側へと伸びる連結片４４と、固定部５０における両支持金具５１の間に設けた連結金具５２と、を連結して構成されている。このため、バルコニー取付構造１０は、連結片４４に連結できるものであれば、一般的な固定部材を固定部５０として用いることができ、製造コストを抑制できるとともに、様々な折板屋根１１に適切に固定することができる。
【００３７】
さらに、バルコニー取付構造１０は、支持部４０の底片４２に底面溝４３が設けられるとともに、板状部材３１の下面３１ｂに下面突起３２が設けられ、板状部材３１の上面３１ｃに上面溝３３が設けられている。このため、バルコニー取付構造１０は、下面突起３２を底面溝４３や上面溝３３に嵌め入れることで、支持部４０の底片４２に対して板状部材３１がずれることや、重ねられた板状部材３１同士がずれることをより適切に抑制できる。加えて、バルコニー取付構造１０は、支持部４０の底片４２に底面溝４３を設けるとともに、板状部材３１の上面３１ｃに上面溝３３を設けていることから、上記したようにずれることをより適切に抑制しつつ、根太１８の構成の変更を招くことなく根太１８を底片４２や上面３１ｃに載せることができる。これは、底片４２や上面３１ｃに突起を設けてしまうと、根太１８の底面１８ｂを対応する形状とする必要があることによる。
【００３８】
バルコニー取付構造１０は、根太１８における固定具３０が設けられていない箇所と折板屋根１１との間において、根太１８の側面１８ａが宛がわれる側壁部３６とその側壁部３６と直交して伸びる底盤部３７とを有する支持具３５が根太１８に取り付けられている。このため、バルコニー取付構造１０は、固定具３０が設けられていない位置であっても根太１８を補強することができる。特に、バルコニー取付構造１０は、根太１８の下に板状部材３１が重ねられている場合には、固定具３０が設けられていない位置であっても、支持具３５が根太１８と板状部材３１とを一体とできるので、根太１８と板状部材３１との間隔や板状部材３１同士の間隔が広がって別々に挙動してしまうことを適切に抑制できる。
【００３９】
バルコニー取付構造１０は、固定部５０が頂部２１を挟んで折板屋根１１に固定される支持金具５１を有している。このため、バルコニー取付構造１０は、簡易な構成で適切に固定部５０を折板屋根１１に固定でき、水平材としての根太１８（床フレーム１５）延いてはバルコニー１２を簡易な構成で適切に折板屋根１１に固定できる。
【００４０】
バルコニー取付構造１０は、支持部４０が緩衝部材６６を介して頂部２１に載せられている。このため、バルコニー取付構造１０は、根太１８を介するバルコニー１２の荷重により支持部４０が折板屋根１１（その頂部２１）に押し付けられることに起因して、折板屋根１１（頂部２１）を傷付けることを適切に抑制できる。
【００４１】
バルコニー取付構造１０は、板状部材３１が複数の頂部２１の間を跨る長さとされている。このため、バルコニー取付構造１０は、根太１８とともに複数の固定具３０により支持されているので、各固定具３０による根太１８の高さ調節量を等しくでき、高さ調節を容易なものにできる。特に、実施例１のバルコニー取付構造１０は、板状部材３１が根太１８と略等しい長さとされているので、根太１８の全長に亘り高さ調節を容易なものにできる。
【００４２】
バルコニー取付構造１０は、固定部５０において両支持金具５１（その支持箇所５４）に対する連結金具５２の傾斜角度を調整することで、折板屋根１１（頂部２１）に対する水平材としての根太１８の姿勢を調整することができ、床フレーム１５延いてはバルコニー１２をより適切に折板屋根１１に設けることができる。
【００４３】
バルコニー取付構造１０は、各固定具３０が、折板屋根１１（頂部２１）に固定される固定部５０と、根太１８および各板状部材３１を支持する支持部４０と、が頂部２１上で並列された構成とされている。このため、バルコニー取付構造１０は、根太１８を介してバルコニー１２の荷重を頂部２１で受けさせることができ、床部１３が荷重で変形することを抑制できるとともに、荷重が根太１８の真下の頂部２１に局所的に作用するのを防ぐことができる。
【００４４】
したがって、本開示に係るバルコニー取付構造としての実施例１のバルコニー取付構造１０では、製造コストを抑制しつつ高さ調節可能として水平材としての根太１８を折板屋根１１に固定することができる。
【００４５】
以上、本開示のバルコニー取付構造１０を実施例１に基づき説明してきたが、具体的な構成については実施例１に限られるものではなく、特許請求の範囲の各請求項に係る発明の要旨を逸脱しない限り、設計の変更や追加等は許容される。
【００４６】
例えば、実施例１では、水平材としての根太１８を固定具３０により折板屋根１１に固定していたが、床部１３を受ける水平材であればよく、実施例１の構成に限定されない。
【００４７】
また、実施例１では、根太１８が跨ぐ全ての頂部２１に固定具３０を設けて固定していたが、１つおき等のように設けない箇所があってもよく、実施例１の構成に限定されない。この場合、隣り合う固定具３０の間隔に相当する長尺な支持具３５を、固定具３０が設けられていない箇所で頂部２１との間に設けることで、全ての頂部２１で根太１８を支持できるので、実施例１と略同様に床部１３の強度を確保することができる。このとき、長尺な支持具３５の底盤部３７の裏面に緩衝部材６６を設けることで、折板屋根１１（頂部２１）を傷付けることを適切に抑制できる。
【００４８】
さらに、実施例１では、支持部４０の底片４２に底面溝４３を設けるとともに、板状部材３１の下面３１ｂに下面突起３２を設け、板状部材３１の上面３１ｃに上面溝３３を設けている。しかしながら、これらの底面溝４３、下面突起３２および上面溝３３を設けなくてもよく、実施例１の構成に限定されない。
【００４９】
実施例１では、固定部５０が両支持金具５１で頂部２１を挟むことで折板屋根１１に固定される構成とされている。しかしながら、固定部５０は、折板屋根１１に固定することができるものであればよく、実施例１の構成に限定されない。
【符号の説明】
【００５０】
１  建物      １０  バルコニー取付構造      １１  折板屋根      １２  バルコニー      １３  床部      １８  （水平材の一例としての）根太      １８ａ  側面      ２１  頂部      ３０  固定具      ３１  板状部材      ３１ｂ  下面      ３１ｃ  上面      ３２  下面突起      ３３  上面溝      ３５  支持具      ３６  側壁部      ３７  底盤部      ４０  支持部      ４１  側片      ４２  底片      ４２ａ  底面      ４３  底面溝      ４４  連結片      ５０  固定部      ５１  支持金具      ６６  緩衝部材
【図１】
2019056269.tif 000003
【図２】
2019056269.tif 000004
【図３】
2019056269.tif 000005
【図４】
2019056269.tif 000006
【図５】
2019056269.tif 000007